(57)【要約】【課題】コネクタをスムーズに嵌合させることができ、端子同士のこじりを防止することができ、端子接続の信頼性を維持向上することができる電気接続箱を提供する。【解決手段】上側に複数のコネクタ嵌合室１８を並列に有するコネクタ嵌合部１７及び下側にバスバー４３，４４を収容するバスバー収容部１９を有するケース１３と、バスバー４３，４４のタブ端子４３ａ，４４ａと接続する雌端子及び雌端子を収容するハウジング２６を有して、コネクタ嵌合部１７に嵌合するジョイントコネクタ２５とを備え、コネクタ嵌合室１８を形成する両側壁１４ａ，１４ａにガイド溝２３を形成し、ハウジング２６の挿入先端側の両側壁（壁部）３１，３１に、ガイド溝２３に係合するガイド突起２４を形成する。【選択図】      図１
2004357411.tif 000002
【特許請求の範囲】
【請求項１】
複数のコネクタ嵌合室を並列に有するジョイントコネクタブロックと、該コネクタ嵌合室に嵌合するジョイントコネクタとを備えた電気接続箱において、
前記コネクタ嵌合室を区画形成する壁部に、前記ジョイントコネクタを位置決めするガイド溝が形成され、該ジョイントコネクタの壁部に、該ガイド溝に係合するガイドリブが形成されたことを特徴とする電気接続箱。
【請求項２】
前記ガイドリブが、前記ジョイントコネクタの挿入先端側に形成されたことを特徴とする請求項１又は２記載の電気接続箱。
【請求項３】
前記ガイドリブの突出代が、端子収容部を区画形成する壁部の高さ寸法の１／２程度の寸法であることを特徴とする請求項１又は２記載の電気接続箱。
【請求項４】
前記ガイド溝が、前記コネクタ嵌合室の開口端部から底部に渡って形成されたことを特徴とする請求項１〜３のいずれか１項に記載の電気接続箱
【請求項５】
前記ガイドリブが断面Ｌ字状に形成され、側端部と前端部とで構成されたことを特徴とする請求項１〜４のいずれか１項に記載の電気接続箱。
【発明の詳細な説明】
【０００１】
【発明の属する技術分野】
本発明は、自動車等に搭載され、ワイヤハーネスのジョイント吸収を行う回路構造を有する電気接続箱に関するものである。
【０００２】
【従来の技術】
図５は従来の電気接続箱の一例を示すものである（特許文献１）。
【０００３】
この電気接続箱５０は、ジョイントコネクタブロック５１に対してジョイントコネクタ５３を確実に固定することができ、しかもジョイントコネクタ５３の半嵌合状態を検知することができるものであり、コネクタ嵌合部５７の側方から挿入され、ジョイントコネクタ５３の抜けを防止するロック部材６１を備えたものである。
【０００４】
ジョイントコネクタブロック５１には、ジョイント回路を形成する回路構造の図示しないバスバーが収容され、バスバーから屈曲形成されたタブ端子が、コネクタ嵌合部５７の底壁５８に形成されたタブ挿通孔５８ａから突出されるようになっている。
【０００５】
ジョイントコネクタブロック５１の部品装着面５４ａには、コネクタ嵌合部５７の他に、３つのコネクタ装着部６０が並設されている。各コネクタ装着部６０には、図示しないコネクタが嵌合され、コネクタ嵌合部５７には、複数のジョイントコネクタ５３を合体させたブロック体５２が嵌合されるようになっている。
【０００６】
各コネクタハウジング５４は、合成樹脂材からプレート状に形成され、雌端子（図示せず）を収容する複数の端子収容室５５が一段に並設されている。雌端子は、導電性を有する金属板を打ち抜き・折り曲げて形成され、一方にワイヤハーネスを構成する電線が接続され、他方にタブ端子が電気的に接続される。コネクタハウジング５４の両側の側面の下半分には、ロック部材６１が係合する凸部５６がジョイントコネクタ５３のスライド挿入方向に沿って複数設けられている。
【０００７】
コネクタ嵌合部５７は、四方が壁部によって包囲されており、相対向する内壁面には、コネクタハウジングの凸部５６が案内される案内溝５９ａが隣接するリブ５９の間に形成されている。案内溝５９ａに凸部５６が係合されることにより、ブロック体５２がコネクタ嵌合部５７にスライドガイドされるようになっている。
【０００８】
ロック部材６１は、合成樹脂材からなり、ジョイントコネクタブロック５１とは別体に設けられ、基部６１ａと一対の腕部６１ｂ、６１ｂとから略コ字状に形成されている。一対の腕部６１ｂ、６１ｂは、コネクタ嵌合部５７に形成された貫通孔５７ａを挿通し、コネクタ嵌合部５７の内壁面に形成された案内突起５９ｂと凸部５６との間に挿入される。
【０００９】
しかしながら、上記従来の電気接続箱５０にあっては、コネクタハウジング５４の凸部５６がスライドガイドされる案内溝５９ａが、コネクタ嵌合部５７の下半分（底側）の側壁（電線導出側と反対側の壁部）に形成されているため、ジョイントコネクタ５３は嵌合途中からスライドガイドされるものであり、嵌合初期においてはジョイントコネクタ５３が位置合わせされず、盲状態でコネクタ嵌合部５７に嵌入されることとなる。このため、凸部５６と案内溝５９ａとがスムーズに係合せず、ジョイントコネクタの嵌合作業性が損なわれる心配があった。
【００１０】
また、コネクタ嵌合部５７にジョイントコネクタ５３が嵌合された状態において、コネクタ嵌合部５７の内壁面とジョイントコネクタ５３の側壁との間に、ロック部材６１を挿通させるための隙間が形成されるため、電線が不用意に引っ張られると、ジョイントコネクタ５３が雌端子の並ぶ方向にずれて雄雌両端子のこじりが生ずるという心配もあった。
【００１１】
雄雌両端子のこじりの問題は、ロック部材６１を取り付ける前の組み立て中において生ずる問題であり、こじりが激しいと、端子接続の信頼性が低下し、ジョイント回路と外部回路の導通不良を生じる心配もある。
【００１２】
【特許文献１】
特開２００２−３０５８２８号公報（第３−４頁、第１図）
【００１３】
【発明が解決しようとする課題】
本発明は、上記した点に鑑み、コネクタをスムーズに嵌合させることができ、端子同士のこじりを防止することができ、端子接続の信頼性を維持向上することができる電気接続箱を提供することを目的とする。
【００１４】
【課題を解決するための手段】
上記目的を達成するために、請求項１記載の発明は、複数のコネクタ嵌合室を並列に有するジョイントコネクタブロックと、該コネクタ嵌合室に嵌合するジョイントコネクタとを備えた電気接続箱において、前記コネクタ嵌合室を区画形成する壁部に、前記ジョイントコネクタを位置決めするガイド溝が形成され、該ジョイントコネクタの壁部に、該ガイド溝に係合するガイドリブが形成されたことを特徴とする。
上記構成によれば、ジョイントコネクタブロックのコネクタ嵌合室にジョイントコネクタが嵌合されることで、相手端子とハウジング内の端子とが接続され、ジョイント回路に外部回路が回路接続されて、ワイヤハーネスのジョイント吸収が行われる。また、ガイド溝とガイドリブとが係合することで、ジョイントコネクタの位置決めが行われ、端子同士のこじりが防止される。
【００１５】
また、請求項２記載の発明は、請求項１記載の電気接続箱において、前記ガイドリブが、前記ジョイントコネクタの挿入先端側の壁部に形成されたことを特徴とする。
上記構成によれば、ジョイントコネクタに組み込まれた端子の電気接触部側が拘束され、端子同士のこじりが有効に防止されて、端子接続の信頼性が一層向上する。
【００１６】
また、請求項３記載の発明は、請求項１又は２記載の電気接続箱において、前記ガイドリブの突出代が、端子収容部を区画形成する壁部の高さ寸法の１／２程度の寸法であることを特徴とする。
上記構成によれば、ガイドリブの強度低下により、折れや曲がり等の変形を生ずることが防止される。
【００１７】
また、請求項４記載の発明は、請求項１〜３のいずれか１項に記載の電気接続箱において、前記ガイド溝が、前記コネクタ嵌合室の開口端部から底部に渡って形成されたことを特徴とする。
上記構成によれば、ジョイントコネクタの嵌合初期から嵌合終期に至るまで、ジョイントコネクタがスライドガイドされるため、ジョイントコネクタの嵌合作業性が向上する。
【００１８】
また、請求項５記載の発明は、請求項１〜４のいずれか１項に記載の電気接続箱において、前記ガイドリブが断面Ｌ字状に形成され、側端部と前端部とで構成されたことを特徴とする。
上記構成によれば、ジョイントコネクタの挿入性が損なわれることなく、ジョイントコネクタの挿入方向に直交する２方向の位置決めを行うことができる。
【００１９】
【発明の実施の形態】
本発明の実施の形態の具体例を図面を用いて詳細に説明する。
図１は、本発明に係る電気接続箱の一実施形態を示すものである。
【００２０】
ジョイントボックス（電気接続箱）は、自動車等の車両に搭載され、ジョイント回路を形成するバスバー等の回路構造にワイヤハーネスを介して外部回路が接続され、電気信号を複数に分岐する電気接続部品である。
【００２１】
このジョイントボックス（電気接続箱）１０は、ジョイントコネクタブロック１２と、ジョイントコネクタ２５とで構成されている。ジョイントコネクタブロック１２は、絶縁樹脂性のケース１３と、ケース１３内に下側から挿入される縦横２方向の複数のバスバー４３，４４と、各バスバー４３，４３の抜け落ちを防止する絶縁樹脂製のカバー（図示せず）とで構成されている。電線４１が接続されたジョイントコネクタ２５は、ケース１３の上側から挿入され、バスバー４３，４４のタブ端子４３ａ，４４ａに、ハウジング２６に収容された雌端子３３が端子接続されるようになっている。
【００２２】
本発明に係るジョイントボックス１０は、コネクタ嵌合室１８に嵌合されるジョイントコネクタ２５の位置決めを行い、バスバー４３，４４のタブ端子４３ａ，４４ａと雌端子３３のこじりを防止して、端子接続の信頼性を向上させるものであり、上側に複数のコネクタ嵌合室１８を並列に有するコネクタ嵌合部１７及び下側にバスバー４３，４４を収容するバスバー収容部１９を有するケース１３と、バスバー４３，４４のタブ端子４３ａ，４４ａと接続する雌端子３３及び雌端子３３を収容するハウジング２６を有し、コネクタ嵌合部１７に嵌合するジョイントコネクタ２５とを備え、コネクタ嵌合室１８を形成する両側壁（壁部）１４ａ，１４ａにガイド溝２３が形成され、ハウジング２６の挿入先端側の両側壁（壁部）３１，３１に、ガイド溝２３に係合するガイドリブ２４（図３，４）が形成されたことを特徴とするものである。
【００２３】
なお、本発明は、コネクタ嵌合室１８の両側壁１４ａ，１４ａにガイド溝２３を形成し、ハウジング２６の両側壁３１，３１にガイドリブ２４を形成することに制約するものではなく、コネクタ嵌合室１８の両側壁１４ａ，１４ａにガイドリブを形成し、ハウジング２６の両側壁３１，３１にガイド溝を形成してもよい。
【００２４】
また、ガイドリブ２４がハウジング２６の挿入先端側の両側壁３１，３１に形成されているから、ジョイントコネクタ２５に組み込まれた雌端子３３の電気接触部３４側が拘束されジョイントコネクタ２５の挿入方向に直交する方向の位置ずれを効果的に防止することができる。
【００２５】
以下に、ジョイントボックス１０の主要構成部分及びその作用について詳細に説明する。
なお、ジョイントボックスの説明の都合上、前後方向、左右方向、上下方向の概念を以下のように定めることとする。前後方向とは、一対のブラケット２０，２０が対向する方向と定め、左右方向とは、ジョイントコネクタ２５に収容された雌端子３３が並ぶ方向と定め、上下方向とは、ジョイントコネクタ２５の挿入方向と定めることとする。なお、上下方向の上とはコネクタ嵌合部１７の位置する側とし、下とはバスバー収容部の位置する側とする。
【００２６】
ジョイントコネクタブロック１２を形成するケース１３は、上半部にコネクタ嵌合部１７、下半部に図示しないカバーで覆われるバスバー収容部１９をそれぞれ背中合わせに有し、前後方向に図示しない車体パネル等に締結固定される一対のブラケット２０，２０を有している。
【００２７】
コネクタ嵌合部１７は、スロット状のコネクタ嵌合室１８を複数並列に有し、各コネクタ嵌合室１８は、前後左右の壁で囲まれた枠内において、垂直な隔壁（壁部）１８ａで等ピッチに区画形成されている。隔壁１８ａや後壁１４ｂには、複数のリブ１８ｂが等ピッチで突設され、各リブ１８ｂの間に端子収容空間が構成されている。リブ１８ｂの突出長さは短いものであり、各リブ１８ｂに対応（対向）してジョイントコネクタ２５のハウジング２６の各隔壁２９が位置する。
【００２８】
各コネクタ嵌合室１８は、上部が開口形成されている。狭幅の左右の壁は、ケース１３の相対向する左右の側壁１４ａ，１４ａであり、広幅の前後の壁は、隔壁１８ａ又は前壁１４ｃ又は後壁１４ｂである。
【００２９】
各コネクタ嵌合室１８の左右の側壁１４ａ，１４ａには、ガイド溝２３が形成されている。ガイド溝２３は、コネクタ嵌合室１８の開口端部から底部に連通して形成されている（図２）。このため、ジョイントコネクタ２５は、嵌合初期から嵌合終期に至るまで、スライドガイドされ、ジョイントコネクタ２５の嵌合作業性が向上するようになっている。
【００３０】
ガイド溝２３に対応して、ジョイントコネクタ２５（ハウジング２６）の両側壁３１，３１には、ガイドリブ２４が隔壁２９の立ち上がる方向に突出して形成されている（図３，４）。ガイドリブ２４については後述するが、ガイドリブ２４がガイド溝２３に係合して、端子同士のこじりが防止され、端子接続の信頼性が向上するようになっている。
【００３１】
各コネクタ嵌合室１８の左右の側壁１４ａ，１４ａの開口端部には、矩形状の凹部４５が形成されている。この凹部４５に対応して、ジョイントコネクタ２５（ハウジング２６）の両側壁３１，３１には、突起４６が横（左右方向）に突出して形成されている（図３，４）。
【００３２】
突起４６は、ジョイントコネクタ２５から電線４１が導出される開口端側に形成されるとともに、突起４６の端面がハウジング２６の端面と同一平面に形成されている。このように形成することで、係止スペーサ３７の連結部３８の裏面（平坦面）が、突起４６の端面とハウジング２６の端面とに宛われ、係止スペーサ３７の着座が安定するとともに、ジョイントコネクタ２５ががたつくことなく、確実に係止されるようになっている。
【００３３】
図示しないカバーは、バスバー４３，４４がバスバー収容部１９に装着された後に、バスバー収容部１９に下側から宛われて、バスバー４３，４４の抜け落ちを防止するためのものである。ケース１３の両側の側壁１４ａ，１４ａに係止突起（図示せず）を形成し、カバー内面に係合部（図示せず）を形成して、ケース１３にカバーを被せた際に、係合部と係止突起とが係合して、カバーが取り付けられるようになっている。
【００３４】
バスバー収容部１９は、ケース１３の内側に形成され、前後方向に延びる複数の隔壁（図示せず）により区画形成された縦溝（図示せず）と、複数の隔壁に形成された切欠部を縦溝に直交する方向に連通させた横溝（図示せず）とから構成されている。
【００３５】
バスバー４３，４４は、縦バスバー４３と横バスバー４４とから構成されており、導電性基板を打ち抜き、必要に応じて折り曲げ加工されて形成されている。縦バスバー４３は、帯部４３ｂと、帯部４３ｂの一側に突設された音叉状の複数の挟持端子４３ｃと、帯部４３ｂの他側に突設されたタブ端子４３ａとから構成されている。各挟持端子４３ｃは、一対の挟持片の間にスリット４３ｄが形成された端子であり、スリット４３ｄには、横バスバー４４の帯部４４ｂが挟持され、ジョイント回路が形成されるようになっている。
【００３６】
横バスバー４４は、帯部４４ｂと、帯部４４ｂの一側に突設されたタブ端子４４ａとからなっている。タブ端子４４ａは、バスバー収容部３５の底部（図示せず）に形成された端子挿通孔を挿通し、コネクタ嵌合室１８に突出して、ジョイントコネクタ２５の雌端子３３と端子接続されるようになっている。なお、ジョイント回路を形成する縦バスバー４３及び横バスバー４４の回路構造については、他の出願で提案予定であり、本明細書での詳細な説明は省略する。
【００３７】
ジョイントコネクタブロック１２の外壁のコーナ部でコネクタ嵌合部１７の外側には、係止用スペーサ３７の腕部３９を受け入れる囲い枠１６が形成されている。係止用スペーサ３７の腕部３９が囲い枠１６の筒内に挿入されることで、腕部３９が囲い枠１６によって保護され、外部干渉等により腕部３９が不用意に外れることが防止されている。
【００３８】
係止用スペーサ３７は、絶縁樹脂材を構成材料とし、長形をなし、水平方向に真直に延びる連結部３８と、連結部３８の両端に直交して連なる一対の腕部３９，３９と、連結部３８の一側に直交して連なる垂壁４０とから構成されている。腕部３９と垂壁４０との交差稜線部にはスリット４０ａが形成されていて、腕部３９が撓み可能になっている。連結部３８の裏面は平坦に形成されていて、複数のジョイントコネクタ２５の端部に宛われるようになっている。
【００３９】
腕部３９の先端側の内面には、内向きに突出する係止爪３９ａが形成されている。係止用スペーサ３９をケース１３の側壁１４ａに対向させ、係止用スペーサ３９をケース１３の側壁１４ａ上端部に宛うと、腕部３９が囲い枠１６の筒内に挿入され、係止爪３９ａが筒内の突起１６ａに係合して、係止用スペーサ３７が係止されるようになっている。このようにすれば、連結部３８が複数のジョイントコネクタ２５の端部に宛われ、複数のジョイントコネクタ２５が一括して係止され、ジョイントコネクタ２５が確実に固定される。
【００４０】
図３又は図４に示されるように、ジョイントコネクタ２５は、端子付きのバスバー４３，４４（図１）のタブ端子４３ａ，４４ａと接続する雌端子３３と、プレート状のハウジング２６とから構成されている。このジョイントコネクタ２５と雌端子３３に接続される電線４１とでワイヤハーネスが構成される。
【００４１】
ここで、ジョイントコネクタ２５の前後方向、上下方向、左右方向は、以下のように定めることとする。前後方向とは、雌端子３３の長手方向をいうものとし、前を電気接触部３４の位置する側、後を電線接続部３５の位置する側とする。上下方向は、ハウジング２６に雌端子３３を挿入する方向と定める。左右方向は、複数の雌端子３３の並ぶ方向と定める。
【００４２】
ハウジング２６は、絶縁樹脂材からなり、フラットな基板２７と、基板２７に直交して起立する隔壁（壁部）２９及び前壁２８と、両側の側壁（壁部）３１，３１とから構成されている。隔壁２９の奥行きの略中間には、雌端子３３の抜け止め用の突起２９ａが突設されている。この突起２９ａの突出代は、上方から挿入される雌端子３３の挿入を妨げない程度の寸法に形成されている。
【００４３】
ハウジング２６の隣接する隔壁２９の間には、細長い端子収容部３０が形成されており、雌端子３３が矢印の方向から収容されるようになっている。収容された雌端子３３は、その電気接触部３４がハウジング２６の前壁２８に当接して前方に抜けないようになっており、電気接触部３４が突起２９ａに当接して上方及び後方に抜けないようになっている。すなわち、端子収容部３０に収容された雌端子３３は、端子収容部３０から抜け出ないようになっている。
【００４４】
ハウジング２６の前壁２８には、縦バスバー４３のタブ端子４３ａおよび横バスバー４４のタブ端子４４ａが挿通される挿通孔２８ａが形成されている。挿通孔２８ａの孔入口は、テーパ面２８ｂに形成されており、タブ端子４３ａ，４４ａがテーパ面２８ａにガイドされつつ雌端子３３の電気接触部３４に挿入され、弾性接触片３４ａの弾性力により挟持されるようになっている。
【００４５】
左右両側の側壁３１，３１は、隔壁２９と平行に並設された壁であり、側壁３１と隔壁２９との間にも端子収容部３０が形成されている。側壁３１の外側には、側壁３１に沿って前壁２８側に延出する厚肉部３１ｂと、側壁３１に沿って反対側（電線導出側）に延出する厚肉部３１ａとがそれぞれ形成されている。厚肉部３１ａ，３１ｂにより、側壁３１が補強され、側壁３１の倒れが防止されるようになっている。
【００４６】
一方の厚肉部３１ａの後端側には、コネクタ嵌合室１８の左右の側壁１４ａ，１４ａに凹設された凹部４５と係合する突起４６が横（左右方向）に突出して形成されている。凹部４５と突起４６との相互作用により、ジョイントコネクタ２５の後端側の位置決めが行われるようになっている。
【００４７】
他方の厚肉部３１ｂの先端側には、断面Ｌ字状に形成されたガイドリブ２４が形成されている。ガイドリブ２４は、側端部４７と前端部４８とから構成されている。側端部４７は、側壁３１の立ち上がる方向に突出し、側壁３１に沿って延長する部分であり、前端部４８は側端部４７の先端側に直交して続く厚肉の部分である。
【００４８】
側端部４７の突出代ｈ１（図４）は、端子収容部３０を区画形成する隔壁２９又は側壁３１の高さ寸法ｈ２の１／２程度の寸法に形成されている。このような寸法に形成すれば、側端部４７に折れや曲がり等の変形が生ずることが防止され、ジョイントコネクタ２５の位置決めが確実に行われる。
【００４９】
側端部４７の長さＬは、雌端子３３の電気接触部３４の長さの１／２程度の寸法に形成されている。このような長さに形成することで、ガイドリブ２４がガイド溝２３に拘束されて、ジョイントコネクタ２５のがたつきが防止されるようになっている。
【００５０】
側端部４７の後端面４７ｂは、側壁３１に対してやや傾斜しており、コネクタ嵌合室１８からジョイントコネクタ２５を抜き出す際の引っ掛かりが防止されて、ジョイントコネクタ２５をスムーズに抜き出すことができるようになっている。
【００５１】
前端部４８は、側端部４７より厚肉に形成されており、厚肉の部分が内側に張り出している。前端部４８の厚さ寸法は、ガイド溝２３の溝幅Ｗ（図２）と同程度の寸法に形成されているため、内端面４８ｂと側端面４７ｃとがガイド溝２３の両側の溝内壁面２３ａ，２３ａに当接して、ジョイントコネクタ２５が左右方向の位置決めが行われるようになっている。
【００５２】
前端部４８の前端面４８ａは、前壁２８と同一平面に形成されている。前端面４８ａと側端面４７ｃとの交差稜線部分はテーパ面４８ｃに形成されている。テーパ面４８ｃが形成されることで、ジョイントコネクタ２５の挿入性が向上するようになっている。
【００５３】
また、前端部４８の上端面は、側端部４７の上端面４７ａと同一平面に形成されている。この上端面（上端面４７ａ）は基板２７の下面２７ａと平行であり、上端面及び下面２７ａがコネクタ嵌合室１８の相対向する壁部に当接することでジョイントコネクタ２５の上下方向（コネクタ挿入方向に直交する方向）の位置決めが行われるようになっている。
【００５４】
このようなガイドリブ２４の構成によれば、ジョイントコネクタ２５の前後方向（雌端子３３の長手方向）に直交する２方向（左右方向及び上下方向）の位置決めが行われ、ジョイントコネクタ２５に組み込まれた雌端子３３の電気接触部３４側が拘束され、端子同士のこじりが有効に防止されて、端子接続の信頼性が向上する。
【００５５】
雌端子３３は、通常の雌端子と同じものであり、導電性基板をプレスにて打ち抜き、折り曲げ加工を経て形成されている。一方には、箱状の電気接触部３４が形成され、他方には、電線接続部３５が形成されている。電気接触部３４の内側には、弾性接触片３４ａが湾曲状に折曲形成されており、バスバー４３，４４のタブ端子４３ａ，４４ａが挟持されるようになっている。電線接続部３５は、前後に各一対の圧着片３５ａ，３５ｂからなり、電線４１の芯線部４１ａ及び絶縁被覆部４１ｂが圧着されるようになっている。なお、電線接続部３５を一対の圧接片としてもよい。
【００５６】
なお、本発明は上記実施形態に限定されるものではなく、本発明の骨子を逸脱しない範囲で種々変形して実施することができる。
【００５７】
【発明の効果】
以上の如く、請求項１記載の発明によれば、コネクタ嵌合室の壁部にガイド溝が形成され、ジョイントコネクタの壁部にガイドリブが形成されているから、ガイド溝とガイドリブとが係合することで、ジョイントコネクタの位置決めが行われ、端子同士のこじりが防止され、端子接続の信頼性が維持向上する。
【００５８】
また、請求項２記載の発明によれば、ガイドリブがジョイントコネクタの挿入先端側の両側壁に形成されているから、ジョイントコネクタに組み込まれた端子の電気接触部側が拘束され、端子同士のこじりが有効に防止されて、端子接続の信頼性が向上する。
【００５９】
また、請求項３記載の発明によれば、ガイドリブの突出代が所定の突出代に設定されているから、ガイドリブの強度低下により、折れや曲がり等の変形を生ずることが防止される。したがって、ジョイントコネクタの位置決めが損なわれることが防止される。
【００６０】
また、請求項４記載の発明によれば、ガイド溝がコネクタ嵌合室の開口端部から底部にわたり形成されているから、ジョイントコネクタの嵌合初期から嵌合終期に至るまで、ジョイントコネクタがスライドガイドされ、ジョイントコネクタの嵌合作業性が向上する。
【００６１】
また、請求項５記載の発明によれば、ガイドリブが側端部と前端部とで構成されているから、ジョイントコネクタの挿入性が損なわれることなく、ジョイントコネクタの挿入方向に直交する２方向の位置決めが行なわれる。したがって、端子同士のこじりを有効に防止することができ、端子接続の信頼性を一層向上することができる。
【図面の簡単な説明】
【図１】本発明に係る電気接続箱の一実施形態を示す分解斜視図である。
【図２】図１に示されるジョイントコネクタブロックの斜視図である。
【図３】図１に示されるジョイントコネクタの分解斜視図である。
【図４】図３に示されるジョイントコネクタの側面図である。
【図５】従来の電気接続箱の一例を示す斜視図である。
【符号の説明】
１０        ジョイントボックス（電気接続箱）
１２        ジョイントコネクタブロック
１４ａ      側壁（壁部）
１８        コネクタ嵌合室
２３        ガイド溝
２４        ガイドリブ
２５        ジョイントコネクタ
３１        側壁（壁部）
【図１】
2004357411.tif 000003
【図２】
2004357411.tif 000004
【図３】
2004357411.tif 000005
【図４】
2004357411.tif 000006
【図５】
2004357411.tif 000007